(57)【特許請求の範囲】
【請求項１】
金属粉の酸化熱を利用した水蒸気発生部を有し、目及び目の周囲に水蒸気を供給し、マイボーム腺の分泌を向上させるマイボーム腺機能改善治療具であって、該マイボーム腺機能改善治療具の表面から放出される水蒸気を、 (1)織布又は不織布、(2)紙類、(3)プラスチック、天然ゴム、再生ゴム又は合成ゴムから形成した多孔性フィルム又は多孔性シート、(4)穿孔を有する発泡プラスチック及び(5)穿孔を有する金属箔の少なくとも一種から構成され且つ１５００〜３５００ｇ／ｍ２・２４ｈの透湿性を有する温度調節材に透過させることにより、該マイボーム腺機能改善治療具の目及び目の周囲への適用面から水蒸気を３８〜４４℃の水蒸気温度で且つ０．０１ｍｇ／ｃｍ2・ｍｉｎ以上の水蒸気放出量で放出するマイボーム腺機能改善治療具。
【請求項２】
水蒸気発生部が、鉄粉３０〜８０重量％、活性炭、保水剤若しくは反応促進剤又はそれらの混合物３〜２５重量％、金属塩０．３〜１２重量％、及び水１〜５５重量％を含有する水蒸気発生組成物からなる請求項１記載のマイボーム腺機能改善治療具。
【請求項３】
目及び目の周囲を覆うアイマスク様形状を有する請求項１又は２記載のマイボーム腺機能改善治療具。
【請求項４】
水蒸気発生部を着脱自在に装着する目枕を有し、全重量が５０ｇ以上４００ｇ以下である請求項１〜３のいずれかに記載のマイボーム腺機能改善治療具。
【請求項５】
鉄粉の粒径が５０〜６０μｍである請求項２〜４のいずれかに記載のマイボーム腺機能改善治療具。
【請求項６】
香気成分が付与されている請求項１〜５のいずれかに記載のマイボーム腺機能改善治療具。
【発明の詳細な説明】
【０００１】
【発明の属する技術分野】
本発明は、目及びその周囲に水蒸気を供給することにより、マイボーム腺に詰まった脂質を除去し、マイボーム腺からの脂質の分泌量を増加させるマイボーム腺機能改善治療具に関する。
【０００２】
【従来の技術】
目の表面に存在する涙液の構造は、下層に主成分である水分や角膜上皮細胞から分泌されるムチン質を含む層が存在し、最外層にマイボーム腺から分泌される脂質（油膜）が存在したものとなっている。
【０００３】
マイボーム腺から分泌される脂質（油膜）は水分蒸散を抑える重量な役割を果たしている。この脂質は加齢に伴って質的に変化し、融点が高温に移行し、白濁する傾向を示す。また、加齢に伴い脂質の分泌量も減少する。そのため、高齢化すると、マイボーム腺に、質的に変化した脂質が詰まり、分泌量が減り、目の乾燥が進むという問題が生じる。
【０００４】
一方、最近のＯＡ機器やインターネットの普及に伴い、ＶＤＴ（Visual Display Terminal）作業はますます長時間化する傾向にあり、また、ＴＶゲームでは長時間にわたって画面を凝視する状態が続いている。このため、若年層においても、瞬きの回数の減少に伴う目の表面からの水分蒸散量が増え、乾燥眼と呼ばれる状態になるので、マイボーム腺の分泌能を向上させることが望まれている。
【０００５】
マイボーム腺の詰まりを解消し、分泌能を向上させる治療法としては、眼科医の指導のもとで行われる洗眼、ホットパック、赤外線治療による乾式型加温治療が行われている。
【０００６】
【発明が解決しようとする課題】
しかしながら、従来の治療法は、電源や機器が必要であり、各自が目の愁訴が強い時に手軽に行うことができない。また、熱源にヒータ線や赤外線ランプ等を使用しているため、加温によってかえって目の水分が蒸発し、目の乾燥感が強まるという問題も起きている。
【０００７】
洗眼は目に対する刺激が強く、さらに一連の治療を行うために１０分以上の時間がかかるという問題がある。
【０００８】
そこで、本発明は、簡便に短時間で効果的にマイボーム腺分泌能を向上させる新たな治療具を提供することを目的とする。
【０００９】
【課題を解決するための手段】
本発明者らは、従来の乾式型加熱治療に対して、温熱水蒸気を目に供給することにより、使用感よく、短時間に、効果的にマイボーム腺の機能を改善できることを見出した。
【００１０】
即ち、本発明は、金属粉の酸化熱を利用した水蒸気発生部を有し、目及び目の周囲に水蒸気を供給し、マイボーム腺の分泌を向上させるマイボーム腺機能改善治療具であって、該マイボーム腺機能改善治療具の表面から放出される水蒸気を、 (1)織布又は不織布、(2)紙類、(3)プラスチック、天然ゴム、再生ゴム又は合成ゴムから形成した多孔性フィルム又は多孔性シート、(4)穿孔を有する発泡プラスチック及び(5)穿孔を有する金属箔の少なくとも一種から構成され且つ１５００〜３５００ｇ／ｍ２・２４ｈの透湿性を有する温度調節材に透過させることにより、該マイボーム腺機能改善治療具の目及び目の周囲への適用面から水蒸気を３８〜４４℃の水蒸気温度で且つ０．０１ｍｇ／ｃｍ2・ｍｉｎ以上の水蒸気放出量で放出するマイボーム腺機能改善治療具を提供する。
【００１１】
【発明の実施の形態】
以下、本発明を詳細に説明する。
【００１２】
本発明のマイボーム腺機能改善治療具は、目及び目の周囲に適用するものである。ここで、マイボーム腺機能改善治療具を目及び目の周囲に適用するとは、マイボーム腺機能改善治療具を目又は目の周囲の皮膚に直接的に接触させることと、接触させることなくその近傍に配することの双方を包含する。
【００１３】
本発明のマイボーム腺機能改善治療具は、化学エネルギーを利用した水蒸気発生部を有し、目及び目の周囲に水蒸気を供給することを特徴としている。
【００１４】
ここで、化学エネルギーとしては、酸とアルカリの中和熱、無機塩類（塩化カルシウム、塩化マグネシウム、酸化カルシウム、酸化マグネシウム、ゼオライト等）の水和熱、金属粉の酸化熱等をあげることができる。
【００１５】
かかる化学エネルギーの水蒸気発生部における具体的利用態様は、利用する当該化学エネルギーの反応形態に応じて適宜定める。例えば、酸とアルカリの中和熱や、無機塩類の水和熱等を利用する場合、水蒸気発生部は、中和熱や水和熱を発生させる加熱部と、これらから発生する熱によって水蒸気を放出する蒸発部とから構成することができる。この場合、加熱部は、反応させる反応物同士を仕切壁で分離し、水蒸気を発生させるときに随時その仕切壁を破り、反応を進行させられるようにすればよい。また、蒸発部は、例えば、紙、織布、不織布等の繊維集合体や多孔質体に水を含浸させたものや、含水ゲル状高分子をフィルム状に伸ばしたものから構成し、加熱部の発熱により水蒸気が放出されるようにすればよい。
【００１６】
化学エネルギーとして金属粉の酸化熱を利用する場合、水蒸気発生部は、金属粉（例えば、鉄、アルミニウム、亜鉛、銅等）、触媒となる塩類（例えば、塩化ナトリウム、塩化カリウム等のアルカリ金属の塩化物、塩化カルシウム、塩化マグネシウム等のアルカリ土類金属の塩化物等）、及び水を含有した水蒸気発生組成物から構成される。この組成物には、必要に応じて、保水剤（例えば、バーミュキュライト、ケイ酸カルシウム、シリカゲル、シリカ系多孔質物質、アルミナ、パルプ、木紛、吸水ポリマー等）、反応促進剤（例えば、活性炭、カーボンブラック、黒鉛等）等を含有させることができる。なかでも、水蒸気発生組成物の組成としては、鉄粉３０〜８０重量％、活性炭、保水剤若しくは反応促進剤、又はそれらの混合物３〜２５重量％、金属塩０．３〜１２重量％、水１〜５５重量％、が好ましい。
【００１７】
水蒸気発生組成物は、次式
【００１８】
【化１】
Ｆｅ＋３／４Ｏ2＋３／２Ｈ2Ｏ→Ｆｅ（ＯＨ）3＋９６ｋｃａｌ
【００１９】
のように金属粉が酸化する発熱反応をおこし、系内の水を水蒸気として放出することにより水蒸気発生部として機能する。
【００２０】
なお、この水蒸気発生組成物の発熱反応は、一般に化学カイロと称されている発熱体で利用されているものである。しかしながら、従来の化学カイロにおいては、かかる組成物を、通気性及び透湿性が共に低い素材からなる袋に収容し、反応に必要な水が発熱体から逃げないようにして使用する。
【００２１】
これに対し、本発明においてはかかる組成物を水蒸気発生源として使用する場合、この組成物を高い透湿性を有するシート材料で収容し、発熱時には反応系内に存在する水の一部が水蒸気となって積極的に系外に放出されるようにする。したがって、目及び目の周囲に十分な水蒸気を供給することが可能となる。
【００２２】
水蒸気発生組成物の発熱反応時に放出される水蒸気温度は、その組成物への通気量を制御せず大気中に開放又はそれに近い状態にすると６０℃以上となる。６０℃以上の水蒸気が、目及び目の周囲に持続的に適用されると安全性上の問題がひきおこされるおそれがある。そこで、本発明においては、マイボーム腺機能改善治療具の目及び目の周囲への適用面から放出される水蒸気温度を５０℃以下に制御し、好ましくは３８〜４４℃に制御する。
【００２３】
本発明においては、このような温度制御を、前述の酸とアルカリの中和熱、無機塩類の水和熱等の化学エネルギーを利用する場合にも行う。
【００２４】
本発明において、マイボーム腺機能改善治療具から放出される水蒸気温度を制御するにあたり、その温度測定は、ＪＩＳ  Ｓ４１００使い捨てカイロの温度測定法に準じる。あるいは、室温環境（２５℃、６５％RH）で水蒸気発部を外気遮断容器から取り出し、水蒸気発生部の水蒸気発生面を上面にして発泡スチロール製の台の上に置き、水蒸気発生部に加重を掛けないようにしてその表面に温度測定機（タバイエスベック（株）製、サーモレコーダＲＴ−１０）の温度検知部をセットし、水蒸気発生部の温度を１５分間測定することにより行う。
【００２５】
温度制御の具体的態様は、水蒸気発生部で利用する化学エネルギーの反応形態、利便性等に応じて適宜定めることができる。例えば、水蒸気発生部で反応させる反応物の量、反応物が粒体である場合にはその粒径、透湿性シートの透湿度等を適宜変えることにより反応速度を調整し、これによりマイボーム腺機能改善治療具表面から放出される水蒸気温度を制御する。また、水蒸気発生部とマイボーム腺機能改善治療具の目及び目の周囲への適用面との間に温度調節材を設け、水蒸気発生部から放出された水蒸気が温度調節材を透過することにより水蒸気温度が下がるようにしてもよい。このような温度調節材を用いて温度制御すると、水蒸気発生部で利用する化学エネルギーの形態によらず、確実かつ簡便にマイボーム腺機能改善治療具から放出される水蒸気温度を５０℃以下に制御できるので好ましい。
【００２６】
温度調節材の構成素材としては、(1)織布、不織布、(2)紙、合成紙等の紙類の他に(3)プラスチック、天然ゴム、再生ゴム又は合成ゴムから形成した多孔性フィルム又は多孔性シート、(4)穿孔を有するウレタンフォーム等の発泡プラスチック、及び(5)穿孔を有するアルミ箔等の金属箔、の少なくとも一種を使用することができる。
【００２７】
なお、これらの構成素材からなる温度調節材を用いて温度制御する場合に、温度調節材は水蒸気の通過抵抗にもなることから、温度調節材の厚み等は、所定量の水蒸気が目及び目の周囲に到達するように、当該温度調節材の材質、温度調節材として複数の構成素材を積層する場合のそれらの組み合わせ態様等に応じて適宜定める。例えば、温度調節材を単層の不織布から形成する場合、その厚さは、０．１ｍｍ以上とすることが好ましく、１ｍｍ以上とすることがより好ましい。
【００２８】
また、前述のような構成素材から温度調節材を形成する場合、厚みをコンパクトにし、かつそれを通過する水蒸気の温度調節能を高めるため、温度調節材は、複数種の構成素材からなる積層物とすることが好ましい。
【００２９】
本発明のマイボーム腺機能改善治療具には、水蒸気発生部を着脱自在に装着する目枕を設けてもよい。これにより、目及び目の周囲が適度に押圧し、リラックス感、リフレッシュ感を誘発させることができる。この場合、水蒸気発生部と目枕を含むマイボーム腺機能改善の全重量は、重量調整材等の使用により５０ｇ以上とすることが好ましく、８０ｇ以上とすることがより好ましい。また、目枕の重量を重くし、結果的に視力改善治療具の全重量が過度に重くなると、使用感が低下するので、マイボーム腺機能改善治療具の全重量は４００ｇ以下、特に２５０ｇ以下とすることが好ましい。
【００３０】
目枕本体の構成素材としては、(1)綿、絹、麻、合成繊維等からなる不織布、織布、キルティング、(2)紙、合成紙等の紙類、(3)獣毛等を使用することができる。また、目枕の全重量を５０ｇ以上にするための重量調節材として、(1)ポリエチレン、ポリプロピレン、ポリエステル等の有機高分子化合物、(2)シリカ、アルミナ等のセラミックス、(3)亜麻の種等の種子、そば殻等の種皮、(4)織布、不織布、(5)紙、木材等を使用することができる。
【００３１】
また、本発明のマイボーム腺機能改善治療具においては、水蒸気発生部を着脱自在に装着できるようにするためにアイマスクを利用してもよく、水蒸気発生部の表面に直接接着層を設けてもよい。ここで、接着層は、人体に直接貼付されるものであるため、人体への安全性が確保されているものを使用する。また、アイマスクには、その装着位置の固定のために、耳にかける紐あるいは頭の後ろで結ぶ紐等を取り付けることができる。
【００３２】
なお、本発明のマイボーム腺機能改善治療具に目枕やアイマスクを使用する場合に、目枕やアイマスクの目への適用面側に水蒸気発生部を配置することが好ましい。
【００３３】
本発明において、マイボーム腺機能改善治療具の目及び目の周囲への適用面における単位表面積あたりの水蒸気発生量は、目及び目の周囲への水蒸気供給効果の点から、０．０１ｍｇ／ｃｍ2・ｍｉｎ以上となるように調整することが好ましく、０．５ｍｇ／ｃｍ2・ｍｉｎ以上とすることがより好ましい。なお、この水蒸気発生量は、室温環境（２５℃、６５％ＲＨ）下でマイボーム腺機能改善治療具を外気遮断容器から取り出し、直ちに小数点以下３桁まで測定可能な上皿天秤に載せ、その後１５分間重量測定を行った場合において、測定開始時の重量をＷt0（ｇ）とし、１５分後の重量をＷt15（ｇ）とし、マイボーム腺機能改善治療具の目及び目の周囲への適用面の表面積をＳ（ｃｍ2）としたときに、以下の式により算出されるものである。
【００３４】
【数１】
水蒸気発生量(mg/cm2・min)＝（Ｗt0−Ｗt15）・１０００／１５Ｓ
【００３５】
マイボーム腺機能改善治療具の目及び目の周囲への適用面からの水蒸気放出量を０．０１ｍｇ／ｃｍ2・ｍｉｎ以上に調整するための具体的方法としては、例えば、水蒸気発生部を化学カイロと同様の水蒸気発生組成物から構成する場合、水蒸気発生組成物を収容する袋材、温度調節材、あるいはマイボーム腺機能改善治療具の外形等を構成するマイボーム腺機能改善治療具本体の材料として十分な透湿性を有するものを使用すればよい。より具体的には、ＡＳＴＭ法（Ｅ−９６−８０Ｄ法）で６００ｇ／ｍ2・２４ｈ以上の透湿性を有する材料を使用することが好ましく、より好ましくは１０００ｇ／ｍ2・２４ｈ以上、さらに好ましくは１５００〜３５００ｇ／ｍ2・２４ｈの透湿性を有する材料を使用する。
【００３６】
マイボーム腺機能改善治療具には香気成分を付与し、マイボーム腺機能改善治療具の使用時に香気が香るようにしてもよい。香気成分としては、リラックス感、リフレッシュ感、入眠感を誘発するもの、例えば、ラベンダー、ミント、ローズ等のハーブ類が好ましい。香気成分の付与方法としては、例えば、香気成分となる芳香族系化合物を含浸させたシリカ、セルロース等の粒子や真性ラベンダー等のポプリ等の香気成分担持体をマイボーム腺機能改善治療具の重量調節材に混合する方法、マイボーム腺機能改善治療具の使用時に香りオイルをマイボーム腺機能改善治療具の表面材につける方法、香りシートをマイボーム腺機能改善治療具に貼付する方法などをあげることができる。
【００３７】
本発明のマイボーム腺機能改善治療具あるいはマイボーム腺機能改善治療具に用いる目枕の形状については、特に制限はないが、例えば、マイボーム腺機能改善治療具あるいは目枕を目及び目の周囲に適用した場合のずり落ちを防止するため、鼻に当たる部分にＶ字カットを施した形状あるいはアイマスク様形状とすることが好ましい。また、マイボーム腺機能改善治療具又はそれに用いる目枕がその適用時に目及び目の周囲にフィットし、マイボーム腺機能改善治療具の適用面全体から温熱水蒸気を実感できるように、マイボーム腺機能改善治療具あるいはそれに用いる目枕には目及び目の周囲の顔面立体形状に適合するように表面凹凸を付けることが好ましい。このためには、マイボーム腺機能改善治療具あるいは目枕表面の構成素材として織布等を使用する場合に、その織布にキルティング加工を施して所定の凹凸をつけてもよい。
【００３８】
また、マイボーム腺機能改善治療具あるいはそれに用いる目枕又はアイマスクには、小袋状等に形成した水蒸気発生部を着脱自在に装着するポケットを設けてもよく、また水蒸気発生部を着脱自在に貼付して安定に固定するための固定手段、あるいはポケットに収容した水蒸気発生部の抜け落ちを防止するための固定手段として、例えば、マジックテープ（登録商標）、ボタン、フック等を設けてもよい。
【００３９】
以下、本発明の好ましい態様を、図面を参照しつつ詳細に説明する。なお、各図中、同一符号は同一又は同等の構成要素を表している。
【００４０】
図４は、本発明の一態様のマイボーム腺機能改善治療具１００Ａの平面図（同図（ａ））及び部分断面図（同図（ｂ））である。なお、図中点線は、マイボーム腺機能改善治療具を目及び目の周囲に適用した場合の目の位置を示している。
【００４１】
このマイボーム腺機能改善治療具１００Ａは、水蒸気発生組成物２を透湿性内袋３に収容した水蒸気発生部１と、水蒸気発生部１上に積層された温度調節材４と、これら全体を収容する透湿性外袋５と、さらに外側でこれらを密封する、非通気性非透湿性シートからなる密封袋６からなっている。
【００４２】
このマイボーム腺機能改善治療具１００Ａは、未使用の保存時には密封袋６に密封されているが、この密封袋６は使用時には破られ、マイボーム腺機能改善治療具１００Ａが取り出される。そして、透湿性外袋５の水蒸気発生面５ａを目及び目の周囲に適用することにより使用される。なお、マイボーム腺機能改善治療具１００Ａを目及び目の周囲に適用する場合に、マイボーム腺機能改善治療具１００Ａの目及び目の周囲へのフィット感を高め、はずれやずり落ちを防止するために、透湿性外袋５には、両端にマジックテープ（登録商標）等が付けられている頭部固定用バンド設けてもよい。
【００４３】
水蒸気発生部１は、マイボーム腺機能改善治療具１００Ａを目及び目の周囲に適用した場合に、両眼とその周囲を覆うように、マイボーム腺機能改善治療具１００Ａ内で２カ所に区分されて配設されている。
【００４４】
水蒸気発生組成物２としては、前述の金属粉の酸化熱を利用したものが使用される。
【００４５】
透湿性内袋３は、目に適用する側の面（水蒸気発生面３ａ）が透湿性素材から構成され、その反対側の面３ｂが非透湿性素材から構成されている。このように水蒸気発生組成物２を収容する透湿性内袋３の一方の面３ｂを非透湿性とすることにより、水蒸気発生組成物２から放出された水蒸気を効率よく目又及び目の周囲に導くことができる。
【００４６】
水蒸気発生面３ａを構成する透湿性素材としては、十分な水蒸気透過量が得られ、水蒸気発生組成物２が漏れ出ないものであれば特に限定されるものではない。具体的には、ナイロン、ビニロン、ポリエステル、レーヨン、アセテート、アクリル、ポリエチレン、ポリプロピレン、ポリ塩化ビニル等の人工繊維、パルプ、綿、麻、絹、獣毛等の天然繊維から選ばれた１種又は２種以上を混合した織布、不織布、紙、合成紙及びポリエチレン、ポリプロピレン、ポリアミド、ポリエステル、ポリ塩化ビニル、ポリ塩化ビニリデン、ポリウレタン、ポリスチレン、エチレン−酢酸ビニル共重合体ケン化物、エチレン−酢酸ビニル共重合体、天然ゴム、再生ゴム、合成ゴム等の非通気性フィルム、シートに穿孔を設けたもの等が挙げられる。
【００４７】
透湿性内袋３の非透湿性の面３ｂは、固定台としての不織布４ａに貼着され、固定されている。
【００４８】
透湿性内袋３の水蒸気発生面３ａ上に積層された温度調節材４は、図４（ｂ）に示されているように、４枚の不織布４ａと２枚の紙４ｂとの積層物からなっている。なお、本発明において、温度調節材４としては、この図４のマイボーム腺機能改善治療具１００Ａの態様に限られず、前述した種々の構成素材を単独であるいは組み合わせて使用することができる。また、図４のマイボーム腺機能改善治療具１００Ａのように温度調節材４を透湿性内袋３と別個に設けることなく、透湿性内袋３に温度調節材４の機能をもたせてもよい。ただし、経済性、技術性、製造上の容易性、安全性等の点からは、温度調節材４は、透湿性内袋３と別個に形成することが好ましい。
【００４９】
透湿性外袋５は、水蒸気発生組成物２を収容した透湿性内袋３と、温度調節材４の全体を収容しており、その外形が、アイマスク様形状となっている。このように目枕１００Ａの適用時の外形をなす透湿性外袋５をアイマスク様形状とすることにより、マイボーム腺機能改善治療具１００Ａのフィット感を向上させることができる。なお、アイマスク様形状としては、或る程度の厚みを有するものの他、薄いシート状のものも含まれる。
【００５０】
透湿性外袋５の目及び目の周囲に適用する面（水蒸気発生面５ａ）の周辺部には粘着材７が貼着されている。これにより、マイボーム腺機能改善治療具１００Ａを目及び目の周囲へ容易に固定することが可能となる。なお、マイボーム腺機能改善治療具１００Ａは、それを手で支持することによっても適用部位に固定できるので、本発明において粘着材７は省略してもよい。
【００５１】
図１は、図４と異なる本発明のマイボーム腺機能改善治療具１００Ｂの平面図（同図（ａ））及び断面図（同図（ｂ））である。このマイボーム腺機能改善治療具１００Ｂは目枕本体８と、目枕本体８の片面（皮膚への適用面と反対側の面）にマジックテープ（登録商標）９で着脱自在に貼付される水蒸気発生部１’からなっている。
【００５２】
水蒸気発生部１’としては、図４と同様に形成した水蒸気発生部１、あるいは水蒸気発生部１に図４と同様の温度調節材４を設けたものが使用され、その皮膚への適用面と反対側の面にマジックテープ（登録商標）片が付けられる。
【００５３】
目枕本体８は、表面が綿、絹、麻、合成繊維等からなる織布又は不織布で、内部に重量調節材として直径２〜７ｍｍ程度の粒状のポリエチレン８０〜１５０ｇが添加されているキルティング材料から形成されている。また、目枕本体８のキルティング材料の内部には、真性ラベンダー、乾燥ハーブ、エッセンシャルオイル含浸物等の香気成分担持体が、０．１〜１０ｇ添加されている。なお、キルティングの内部材料には温度調節材の機能を持たせることもできる。
【００５４】
目枕本体８の外形は、略矩形で２０ｃｍ×８ｃｍ程度の両眼及びその周囲を覆う大きさを有し、中央部片側にはＶ字カットが施されている。また、目枕本体８の水蒸気発生部１’の貼付面には、貼付した水蒸気発生部１’の縁辺の位置に合わせてキルティングの縫い目１０が形成されている。
【００５５】
図２のマイボーム腺機能改善治療具１００Ｃは、図１の目枕本体８と同様のキルティング材料からなり、さらにその外側に綿、絹、麻、合成繊維等の織布、不織布からなる生地１１を重ね、水蒸気発生部１’を収容するポケット１２を形成したものである。この目枕本体８のポケット１２の開口部には、ボタン、テープ、フック、ジッパー等を設け、ポケット１２内に収容した水蒸気発生部１’が不要に抜け出ないようにすることが好ましい。
【００５６】
図３のマイボーム腺機能改善治療具１００Ｄは、図１のマイボーム腺機能改善治療具１００Ｂを不織布、織布等のカバー１３で覆ったものである。
【００５７】
この他、本発明のマイボーム腺機能改善治療具は種々の態様をとることができる。例えば、図４に示した水蒸気発生部１では、そこから放出された水蒸気を効率よく目及び目の周囲に導くために、透湿性内袋３の目と反対側の面３ｂを非透湿性としているが、透湿性内袋３全面を透湿性材料で形成し、その透湿性内袋３の目及び目の周囲への適用面と反対側の面３ｂ上に非透湿性シートを配設してもよい。また、水蒸気発生部１としては、マイボーム腺機能改善治療具の適用時に、両眼及びその周囲を覆うのに十分な大きさの１つの水蒸気発生部を設けてもよい。
【００５８】
【実施例】
実施例１
（１）マイボーム腺機能改善治療具の作製
図５（ｃ）の態様のマイボーム腺機能改善治療具１００Ｅを次のように作製した。
【００５９】
まず、吸水性ポリマー（三菱化学社製、商品名：アクアパール）５重量部に、２ｗｔ％の食塩水４０重量部を加え、含水保水剤を調製した。
【００６０】
次に、粒径５０〜６０μｍの鉄粉（同和鉄粉工業社製）３５重量部、活性炭（武田薬品社製）１０重量部、ひる石（シンセイミクロン社製、バーミキュライト）１０重量部との混合物に先の含水保水剤４５重量部を加え、混合し、水蒸気発生組成物２を得た。
【００６１】
一方、図５（ａ）、（ｂ）に示すように、透湿性内袋（縦１０ｃｍ、横２０ｃｍ）３の非透湿性の面３ｂの面材としてポリエチレン製シート（坪量２５ｇ／ｍ2）を使用し、水蒸気発生面３ａの面材として透湿性不織布（三井化学社製、商品名：シンテックスＭＢ、坪量５０ｇ／ｍ2）を使用し、これらの中心（縦５ｃｍ、横１０ｃｍの位置）から左右に１ｃｍずつの位置を縁辺として縦４ｃｍ、横５ｃｍのポケットを２つ形成し、このポケット内に上述の水蒸気発生組成物２を３ｇずつ充填し、水蒸気発生部１を得た。
【００６２】
水蒸気発生部１の透湿性の面３ａ上に温度調節材４として不織布４ａ（ＲＮＰ社製、商品名：エアスルー不織布、坪量３５ｇ／ｍ2）と合成紙４ｂ（東海パルプ社製、商品名：イレブンＵ、坪量３７ｇ／ｍ2）を順次重ね、この上に外袋の面材として透湿性不織布５aa（カクケイ社製、ポリエチレンラミネート不織布）を重ね、反対側に非透湿性シート５bbを設け、透湿性不織布５aaと非透湿性シート５bbの外周部を熱融着し、マイボーム腺機能改善治療具１００Ｅを得た。得られたマイボーム腺機能改善治療具１００Ｅは、直ちに非通気性の密封袋に保存した。
【００６３】
（２）評価
(2-1)  マイボーム腺機能改善治療具１００Ｅを密封袋から取り出したところ、取り出して後約２０〜３０秒で水蒸気の発生を開始した。また、このマイボーム腺機能改善治療具１００Ｅの目及び目の周囲への適用面となる透湿性不織布５aaから放出される水蒸気の最高温度は、４０〜４１℃であり、３８℃以上の水蒸気の放出を１５分間維持した。
【００６４】
(2-2)  マイボーム腺機能改善治療具１００Ｅの適用の効果を調べるために、マイボーム腺機能障害（ＭＧＤ）と診断された患者２０名を対象とし、就寝前にマイボーム腺機能改善治療具１００Ｅを目及び目の周囲に７分間適用し、マイボーム腺機能改善治療具１００Ｅをはずしてそのまま就寝するという適用方法を２週間にわたって続けた場合の適用前と適用２週間後の涙液破断時間（ＢＵＴ： break up time of tear）値を医師の測定により得た。
【００６５】
ＢＵＴ値は、目の表面にフルオレッセイン試薬を滴下し、開眼した状態で涙液が破断するまでの時間を測定することにより求めた。このＢＵＴ値は、目の表層での涙液の安定性の指標となるものであり、ドライアイ患者の場合、５秒以下となる。
【００６６】
結果を表１に示す。
【００６７】
【表１】
0003690258.tif 000002
【００６８】
(2-3)  比較のため、就寝時のマイボーム腺機能改善治療具１００Ｅの適用に代えて、ヒアルロン酸点眼剤を点眼し、(2-2)と同様にＢＵＴ値を求めた。この場合、ＭＧＤ患者１１名を対象者とした。結果を表２に示す。
【００６９】
【表２】
0003690258.tif 000003
【００７０】
表１、表２の結果から、ＭＧＤ患者に実施例１のマイボーム腺機能改善治療具を適用することにより、ＭＧＤが改善することがわかる。
【００７１】
実施例２
（１）マイボーム腺機能改善治療具の作製
図６の態様のマイボーム腺機能改善治療具１００Ｆを次のように作製した。
【００７２】
鉄粉４５重量部、水２８重量部、食塩２重量部、活性炭１０重量部、吸水性ポリマー５重量部、バーミキュライト１０重量部を用いて実施例１と同様に水蒸気発生組成物２を調製した。
【００７３】
一方、低透湿性シート３ｃ（日東電工社製、商品名：ブレスロン８０、透湿度６１０ｇ／ｍ2／２４ｈｒ）と、水蒸気発生面３ａの面材として高透湿性不織布（三井化学社製、商品名：シンテックスＭＢ、坪量３０ｇ／ｍ2、透湿度３０００ｇ／ｍ2／２４ｈｒ）を重ね合わせ、これらの中心（縦５ｃｍ、横１０ｃｍの位置）から左右に１ｃｍずつの位置を縁辺として縦４ｃｍ、横５ｃｍのポケットを２つ形成し、このポケット内に上述の水蒸気発生組成物２を５ｇずつ充填し、水蒸気発生部１を得た。
【００７４】
水２０重量部に吸水性ポリマー（三菱化学社製、商品名：アクアパール）５重量部を加え、含水高分子ゲル１５を調製し、これを高透湿性不織布（三井化学社製、商品名：シンテックスＭＢ、坪量４０ｇ／ｍ2、透湿度３０００ｇ／ｍ2／２４ｈｒ）の上に均等に塗布し（塗布厚０．５ｍｍ）、その上に高透湿性不織布１７（三井化学社製、商品名：シンテックスＳＢ、坪量３０ｇ／ｍ2、透湿度３０００ｇ／ｍ2／２４ｈｒ）を２枚重ね、外周部を熱融着し、マイボーム腺機能改善治療具１００Ｆを得た。得られたマイボーム腺機能改善治療具１００Ｆは、直ちに非通気性の密封袋に保存した。
【００７５】
（２）評価
(2-1)  マイボーム腺機能改善治療具１００Ｆを密封袋から取り出したところ、取り出して後約５０〜６０秒で水蒸気の発生を開始した。また、このマイボーム腺機能改善治療具１００Ｆの目及び目の周囲への適用面となる高透湿性不織布１７から放出される水蒸気の最高温度は、３８〜３９℃であり、３８℃以上の水蒸気の放出を１５分間維持した。
【００７６】
(2-2)  実施例１の(2-2)と同様にして、ＭＤＧ患者におけるマイボーム腺機能改善治療具１００Ｆの適用の効果をＢＵＴ値により調べた。結果を表３に示す。
【００７７】
【表３】
0003690258.tif 000004
【００７８】
(2-3)  比較のため、就寝時のマイボーム腺機能改善治療具１００Ｆの適用に代えて、ヒアルロン酸点眼剤を点眼し、(2-2)と同様にＢＵＴ値を求めた。結果を表４に示す。
【００７９】
【表４】
0003690258.tif 000005
【００８０】
表３、表４の結果から、ＭＧＤ患者に実施例２のマイボーム腺機能改善治療具を適用することにより、ＭＧＤが改善することがわかる。
【００８１】
【発明の効果】
本発明によれば、マイボーム腺分泌能を簡便に短時間で効果的に向上させることができる。
【図面の簡単な説明】
【図１】  マイボーム腺機能改善治療具の平面図（同図（ａ））及び断面図（同図（ｂ））である。
【図２】  マイボーム腺機能改善治療具の平面図（同図（ａ））及び断面図（同図（ｂ））である。
【図３】  マイボーム腺機能改善治療具の平面図（同図（ａ））及び断面図（同図（ｂ））である。
【図４】  マイボーム腺機能改善治療具の平面図（同図（ａ））及び部分断面図（同図（ｂ））である。
【図５】  実施例のマイボーム腺機能改善治療具の水蒸気発生部の平面図（同図（ａ））、断面図（同図（ｂ））及びマイボーム腺機能改善治療具の断面図（同図（ｃ））である。
【図６】  実施例のマイボーム腺機能改善治療具の断面図である。
【符号の説明】
１    水蒸気発生部
２    水蒸気発生組成物
３    透湿性内袋
４    温度調節材
５    透湿性外袋
６    密封袋
７    粘着材
８    目枕本体
９    マジックテープ（登録商標）
１０    キルティングの縫い目
１２    ポケット
１３    カバー
１００Ａ、１００Ｂ、１００Ｃ、１００Ｄ、１００Ｅ、１００Ｆ  マイボーム腺機能改善治療具
【図１】
0003690258.tif 000006
【図２】
0003690258.tif 000007
【図３】
0003690258.tif 000008
【図４】
0003690258.tif 000009
【図５】
0003690258.tif 000010
【図６】
0003690258.tif 000011